(57)【要約】      （修正有）【課題】従来の梱包作業は、人手により、上半身を使い、体重をかけ、箱を押さえつけ梱包用テープを貼っていたため、非常に不安定な体勢であると同時に、箱の成形、テープの貼り付けが非常に困難であり、体力と技術を必要としていた。【解決手段】フラップ押さえを上下移動させることにより、フラップを押さえつけ固定し、フラップ押さえとクランプ接続部に微調整機構を有し、アームを回転、調整式とすることで多種農産物に対応し、フラップを外側に折り込んだとき、滑り止め、傷つき防止効果がある産物台を使用し、横押さえに挿し込み固定ができることにより、箱をしっかり押さえるようにしたため、作業者が体力、技術を必要とせず、箱成形、梱包用テープの貼り付けを楽にすることができる。【選択図】図３
2006240661.tif 000002
【特許請求の範囲】
【請求項１】
ねぎ用箱の押さえ装置は、産物台と、フラップ押さえを上下するためのクランプ、及びクランプの上下位置を調節し固定するための支柱で構成され、該産物台の厚みが３５ミリから６０ミリであることを特徴とする、農産物用箱を押さえるための装置。
【発明の詳細な説明】
【技術分野】
【０００１】
本発明はダンボール箱に、農産物のねぎを詰めて、梱包用テープを貼るために使う、フラップを押さえつけておく装置に関する。
【背景技術】
【０００２】
従来、農産物の箱詰めに関しては、特許文献１のような、大掛かりな全自動の箱詰め梱包装置は多く出願されている。しかしながら、ねぎのように箱詰めしたときに、箱からはみ出すような農産物の箱詰めは自動化が困難で、これまでは人手による作業に頼っており、箱のフラップを押さえつけておくための補助具すらなかった。  
【０００３】
【特許文献１】特開平号公報２００４−３５０１２
【発明の開示】
【発明が解決しようとする課題】
【０００４】
ねぎは、箱詰めしたさいに、箱より飛び出すので、箱の中に収めるために、しっかり押さえつけてテープ貼りするためには、人手に頼るしかなかった。最近は農産地における高齢化も進んでおり、農産物の梱包作業の軽減化が望まれていた。特に、ねぎの梱包作業は、これまでは上半身の体重をかけて箱を押さえつけ、テープを貼ることを一人でやるために、体力も要するものであった。  
【０００５】
上記問題点を解決するための、ねぎの梱包作業を楽にする装置を発明することを課題とした。
【課題を解決するための手段】
【０００６】
上記の課題を達成するために、本発明のねぎ用箱の押さえ装置は、産物台と、フラップ押さえを上下するためのクランプ、及びクランプの上下位置を調節し固定するための支柱で構成され、該産物台の厚みが３５ミリから６０ミリであることを特徴とする。
【発明の効果】
【０００７】
本発明は、下記に記載されるような効果を奏する。  
【０００８】
本発明を使用することにより、体力技術を必要とせず、ねぎのように箱から飛び出す農産物においても、楽に箱が押さえつけられるため、高齢者にも農産物の梱包作業が楽にできる。  
【０００９】
本発明の試作機数台を高齢者に使用してもらったが、ねぎの箱詰め作業も箱が固定されているために楽に行え、梱包作業も力を必要としないために大変楽にでき通常の１.５倍前後作業効率が向上し、身体的にも楽になったと言う効果があった。  
【００１０】
箱のフラップを折りこみフレームに差し込むことにより、確実に箱を固定できるため荷詰が楽にでき、底に貼ったスポンジにより滑り止め、及び傷つき防止効果があるために、ねぎに付く傷が軽減された。
【発明を実施するための最良の形態】
【００１１】
本発明ねぎ用箱の押さえ装置の実施の形態について、実施例に基づき、以下図面を参照しながら説明する。  
【００１２】
本発明実施の１例を図１に示したが、実施例の構成各部分について順次説明する。鉄角パイプで製作した産物台ベース１１上に鉄製角パイプ上に鉄板を溶接しスポンジ材を貼った産物台６を固定し、産物台に載せたダンボール箱の側面を押さえるための側面押さえ７を取り付けた。  産物台ベース１１は１９ミリの角パイプと奥側のフレーム１２に使用した３２ミリの角パイプで構成した。  さらに奥側フレーム１２には、５００ミリの長さで直径２０ミリの鉄製丸棒を挿し込み溶接固定して支柱８とした。支柱８には、クランプの取り付け位置の上下に、固定機構をもつ２個のクランプ高さ調整具５を備え、クランプ１を保持するアーム４を所定の位置に固定した。実施例では、ストローク８０ミリの直動式クランプを利用した。クランプ１の下部にはあらかじめ８ミリの雌ネジが設けられている。この雌ネジを利用して、フラップ押さえ２に溶接した雄ネジの微調整機構３にナットを挿入して、フラップ押さえ２をクランプ下部に取り付けた。  
【００１３】
本発明は、６６０ミリ×４９１ミリの長方形のフレームを作るために、１９ミリの角パイプ４本を等間隔に縦向きに配置し、１９ミリ角パイプと３２ミリの角パイプを横向きに上下に配置、１９ミリ角パイプを挟み込む形で溶接固定した。フレームを構成する３２ミリ角パイプの中央には、直径２０ｍｍの穴をあけ支柱８を固定するための奥側フレーム１２とした。  
【００１４】
また、３２ミリ鉄の角パイプで５８０ミリ×２７５ミリの長方形の枠を作り、上部に１．６ミリの鉄板を溶接し、さらにその上面に厚さ１０ｍｍのポリウレタン製スポンジを貼り付け産物台６とした。  このことにより、産物台６の厚みは４４．３ミリになり、フラップを折り返して産物台に載せたときに箱が浮き上がることを防ぐことができた。  図２のフラップ１０の長さＡは１４０ミリであり、箱の高さＢは１１５ミリで、フラップ１０は箱の高さＢよりも３５ミリ大きいので産物台６の高さが３５ミリ以下になると、フラップを外側に折り曲げた箱を、産物台６に載せると、箱が浮き上がり不安定になる。  そのため、産物台６の厚みは３５ミリ以上にすることが不可欠であるが、あまり厚くすると作業性が悪くなる。そのため、産物台６の厚みは、３５ミリから６０ミリであることが望ましい。また、図１に示すように、産物台６にのせた箱にねぎを入れるときに、箱がずれないように、２．３ミリ厚の鉄板で製作した側面押さえ板７を四方に取り付けた。  
【００１５】
本発明は、クランプハンドル９を上下に動かすことで、クランプ１に接続された、フラップ押さえ２が上下移動することにより、箱フラップを押さえつけるものである。  
【００１６】
同じ農産物用箱でも、箱の種類により若干の寸法が違うために、フラップ押さえ２にボルトを使用し、上下３０ミリの範囲で高さの調整を可能としていて、接続に用いたボルトは、テープを貼る時邪魔にならないように出来るだけ細いものを使用したいが、上下３０ミリの範囲で高さ調整するためには、長さ６０ミリ以上のボルトでないと、クランプ１の雌ネジに接する部分が少なく、またナットを挿入できないために、フラップ押さえ２を固定することが困難なため、８ミリ未満の鉄ボルトでは耐久性に掛ける。そのため耐久性のある中で一番細い８ミリの鉄ボルトを使用した。また３０ミリ以上の調整をするためには長さ６０ミリ以上太さ１０ミリ以上の鉄ボルト、または焼入れボルトや、ステンレスボルトを、使用することで、８ミリ以上のボルトで同じ効果を得られる。  
【００１７】
実施例として、フラップ押さえ２は、１．６ミリ、２ミリ、２．３ミリ、３．６ミリ、の厚みの鉄板を用いたが２．３ミリ以下の鉄板では、長期使用すると鉄板に曲がりが出てきてしまい、３．６ミリ以上の鉄板になると曲がりは出ないが多少重くなるために、クランプ１を持ち上げるために力を必要とするため、３．２ミリの鉄板を用いたが、強度のあるステンレス、鋼材などでは２．０ミリ以上のものであれば代用できる。  
【００１８】
箱の上面をテープで固定した状態で裏返し（図２）本発明である農産物用箱を押さえるための装置（図１）の、産物台６の上に乗せ、箱のフラップ１０を外側に折り、産物台６と側面押さえ７の間に差し込み、この状態で（図3）農産物の箱詰めを行う。箱詰め終了後箱を少し持ち上げ、フラップ１０を図２のように起こし、軽くフラップ１０を閉め、長さ約１４０ｍｍのアーム４を箱上部まで回転させ、クランプハンドル9を下げ、箱を押さえ込み、手で最終的な箱の成形を施し、両端にテープを貼り（図4）クランプハンドル９を上げ、アーム４を装置後方付近まで回転させ箱を取り出す。  
【００１９】
アーム４はテープを貼るときに邪魔にならないよう、できるだけ短くするのが好ましいため１４０ミリとし、フラップ押さえ２の微調整機構３のボルト位置を端にすることで箱全体を押さえつけられる構造としている。箱を置く、農産物の箱詰め、箱を取り出す作業を楽にするため３６０度回転式である。アーム４を前後のスライド式にしても同じ効果をもたせることが出来る。支柱８を折りたたみ式にして、アーム４を可動式から固定式にすることも可能であり、その場合においても、回転式やスライド式と同じ効果をもたせることが出来る。  
【００２０】
実施例では直動式クランプ１機構を用いた装置であるが、エアーシリンダーや、オイルシリンダー等伸び縮する機構を有するものを使用しても同じ効果をもたせることができ、リミットスイッチ等の組み合わせにより、ボタン一つで上下移動できるような半自動装置にすることも可能でありより楽に作業が出来るようになる。  
【００２１】
アーム４の調整機構は本実施例でボルトによる調整を行っているが、ボールロック等の組み合わせと支柱８に細かく溝をつけることによりワンタッチ調整が可能であり、支柱８に農産物箱の大まかな高さを色分けや、印等により大体の目安を表示することにより調整を楽にすることもできる。本装置では農産物用箱を対象とした設計のため支柱８が５００ミリになっているが、この支柱８を長くすることにより他分野での利用も可能である。  
【００２２】
産物台にポリウレタン製スポンジを取り付けたが、１０ｍｍ程度の厚みがあり、クッション性、滑り止め効果のあるものなら滑り止めマット等の物でも代用できる。
【図面の簡単な説明】
【００２３】
【図１】農作物用箱を押さえるための装置の全体図
【図２】裏返しにしたねぎ箱の図
【図３】農作物用箱を押さえるための装置に箱を置いた図
【図４】箱に固定用テープを貼った図
【符号の説明】
【００２４】
１  クランプ  ２  フラップ押さえ  ３  微調整機構  ４  アーム  ５  クランプ高さ調整具  ６  産物台  ７  側面押さえ  ８  支柱  ９  クランプハンドル10     フラップ11     産物台ベース12  奥側フレーム
【図１】
2006240661.tif 000003
【図２】
2006240661.tif 000004
【図３】
2006240661.tif 000005
【図４】
2006240661.tif 000006